(57)【要約】【課題】ユーザが意識せずとも、無線ＬＡＮのアクセスポイントのＳＳＩＤ、暗号化方式や鍵を更新することができるシステム、さらに、所定の無線ＬＡＮのアクセスポイントに接続する際に、ユーザはより容易に、その無線ＬＡＮのアクセスポイント用の設定を、ＰＣに設定することができるシステムを提供する。【解決手段】情報端末と無線ＬＡＮのアクセスポイントとの間で設定されているとともに、情報端末とアクセスポイントとを無線接続させるための無線ＬＡＮ接続環境を示す無線ＬＡＮ接続環境情報をネットワークに送信する送信手段を有するサーバと、このサーバから受信した無線ＬＡＮ接続環境情報に基づき、自身の無線ＬＡＮ接続環境を設定する自身設定手段を有する情報端末とを備える【選択図】図４
2008244945.tif 000002
【特許請求の範囲】
【請求項１】
情報端末と無線ＬＡＮのアクセスポイントとの間で設定されているとともに、前記情報端末と前記アクセスポイントとを無線接続させるための無線ＬＡＮ接続環境を示す無線ＬＡＮ接続環境情報をネットワークに送信する送信手段を有するサーバと、
前記サーバから前記ネットワークを介して受信した前記無線ＬＡＮ接続環境情報に基づき、自身の無線ＬＡＮ接続環境を設定する自身設定手段を有する情報端末とを備えたことを特徴とする無線接続環境設定システム。
【請求項２】
情報端末と無線ＬＡＮのアクセスポイントと間で設定されているとともに、前記情報端末と前記アクセスポイントとを無線接続させるための無線ＬＡＮ接続環境を更新させるための無線ＬＡＮ接続環境情報をネットワークに送信する送信手段を有するサーバと、
前記サーバから前記ネットワークを介して受信した前記無線ＬＡＮ接続環境情報に基づき、前記アクセスポイントの無線ＬＡＮ接続環境を設定するアクセスポイント設定手段と、前記無線ＬＡＮ接続環境情報に基づき、自身の無線ＬＡＮ接続環境を設定する自身設定手段とを有する情報端末とを備えたことを特徴とする無線接続環境設定システム。
【請求項３】
前記情報端末は、ユーザにより前記アクセスポイント及び前記情報端末の前記無線ＬＡＮ接続環境が変更された場合に、変更された前記無線ＬＡＮ接続環境を示す無線ＬＡＮ接続環境情報を前記ネットワークを介して前記サーバに通知する通知手段を有し、
前記サーバは、前記通知手段から通知された前記無線ＬＡＮ接続環境情報を記憶手段に登録する登録手段を有することを特徴とする請求項２記載の無線接続環境設定システム。
【請求項４】
前記サーバが、前記情報端末の前記通知手段から所定期間、変更された前記無線ＬＡＮ接続環境を示す無線ＬＡＮ接続環境情報を受信しない場合には、前記サーバの送信手段は、更新すべき無線ＬＡＮ接続環境情報を送信することを特徴とする請求項３記載の無線接続環境設定システム。
【請求項５】
情報端末と無線ＬＡＮのアクセスポイントと間で設定されているとともに、前記情報端末と前記アクセスポイントとを無線接続させるための無線ＬＡＮ接続環境を更新させるための無線ＬＡＮ接続環境情報をネットワークに送信する送信手段を有し、
前記情報端末から所定期間、変更された前記無線ＬＡＮ接続環境を示す無線ＬＡＮ接続環境情報を受信しない場合には、前記送信手段は、更新すべき無線ＬＡＮ接続環境情報を前記情報端末に送信することを特徴とする無線接続環境設定サーバ。
【請求項６】
情報端末と無線ＬＡＮのアクセスポイントと間で設定されているとともに前記情報端末と前記アクセスポイントとを無線接続させるための無線ＬＡＮ接続環境を更新させるための、且つ、サーバから送信された無線ＬＡＮ接続環境情報に基づき、前記アクセスポイントの無線ＬＡＮ接続環境を設定するアクセスポイント設定手段と、
前記無線ＬＡＮ接続環境情報に基づき、自身の無線ＬＡＮ接続環境を設定する自身設定手段とを有することを特徴とする情報端末。
【請求項７】
情報端末を無線ＬＡＮの第１のアクセスポイントに無線接続させるための第１の無線ＬＡＮ接続環境を示す第１の情報と、情報端末を無線ＬＡＮの第２のアクセスポイントに無線接続させるための第２の無線ＬＡＮ接続環境を示す第２の情報とを関連付けて記憶する記憶手段と、
情報端末にアクセスされると、前記情報端末に、前記第１及び第２の情報を送信することを特徴とする無線接続環境設定サーバ。
【請求項８】
情報端末に、
前記情報端末と無線ＬＡＮのアクセスポイントと間で設定されているとともに前記情報端末と前記アクセスポイントとを無線接続させるための無線ＬＡＮ接続環境を更新させるための、且つ、サーバから送信された無線ＬＡＮ接続環境情報に基づき、前記アクセスポイントの無線ＬＡＮ接続環境を設定する第１のステップと、
第１のステップの後、前記無線ＬＡＮ接続環境情報に基づき、自身の無線ＬＡＮ接続環境を設定する第２のステップとを実行させることを特徴とするプログラム。
【発明の詳細な説明】
【技術分野】
【０００１】
本発明は、無線ＬＡＮのアクセスポイントにおけるＳＳＩＤ、暗号化方式、鍵などをサーバにて管理する情報処理システムに関する。
【背景技術】
【０００２】
一般的に、無線ＬＡＮのアクセスポイントのＳＳＩＤ、暗号化方式や鍵は定期的に変更した方がセキュリティの観点でよい。なお、無線ＬＡＮのアクセスポイントのＳＳＩＤを変更する処理を含むシステムが特許文献１に開示されている。
【０００３】
【特許文献１】特開２００５−１８４８４４号公報
【発明の開示】
【発明が解決しようとする課題】
【０００４】
ところで、セキュリティの観点で、無線ＬＡＮのアクセスポイントのＳＳＩＤ、暗号化方式や鍵を定期的に変更することは、ユーザにとって非常に煩わしいことである。
【０００５】
さらに、複数の無線ＬＡＮのアクセスポイントにＰＣを接続する場合には、ユーザは、アクセスポイントごとに、いちいちＰＣの設定を変更せねばならず、この作業は煩わしいものである。また、ユーザが自宅の無線ＬＡＮで使っているＳＳＩＤ、暗号化方式や鍵を用いては、例えばオフィスの無線ＬＡＮのアクセスポイントにユーザのＰＣを接続させることはできない。もちろん、予めオフィスのアクセスポイントのＳＳＩＤ、暗号化方式や鍵を予めユーザのＰＣに登録しておけば問題なく接続できるが、これでは、オフィスのアクセスポイントのＳＳＩＤ等が変更される度に、ユーザは、オフィスのＳＳＩＤ等をＰＣに登録しなければならず、この作業は、ユーザにとって非常に煩わしいものである。
【０００６】
そこで、本発明は、ユーザが意識せずとも、無線ＬＡＮのアクセスポイントのＳＳＩＤ、暗号化方式や鍵を更新することができる情報処理システム、さらに、所定の無線ＬＡＮのアクセスポイントに接続する際に、ユーザはより容易に、その無線ＬＡＮのアクセスポイント用の設定を、ＰＣに設定することができる情報処理システムを提供することを目的とする。
【課題を解決するための手段】
【０００７】
本発明の第１の無線接続環境設定システムは、情報端末と無線ＬＡＮのアクセスポイントとの間で設定されているとともに、前記情報端末と前記アクセスポイントとを無線接続させるための無線ＬＡＮ接続環境を示す無線ＬＡＮ接続環境情報をネットワークに送信する送信手段を有するサーバと、前記サーバから前記ネットワークを介して受信した前記無線ＬＡＮ接続環境情報に基づき、自身の無線ＬＡＮ接続環境を設定する自身設定手段を有する情報端末とを備えたことを特徴とする。
【０００８】
本発明の第２の無線接続環境設定システムは、情報端末と無線ＬＡＮのアクセスポイントと間で設定されているとともに、前記情報端末と前記アクセスポイントとを無線接続させるための無線ＬＡＮ接続環境を更新させるための無線ＬＡＮ接続環境情報をネットワークに送信する送信手段を有するサーバと、前記サーバから前記ネットワークを介して受信した前記無線ＬＡＮ接続環境情報に基づき、前記アクセスポイントの無線ＬＡＮ接続環境を設定するアクセスポイント設定手段と、前記無線ＬＡＮ接続環境情報に基づき、自身の無線ＬＡＮ接続環境を設定する自身設定手段とを有する情報端末とを備えたことを特徴とする。
【０００９】
本発明の第１の無線接続環境設定サーバは、情報端末と無線ＬＡＮのアクセスポイントと間で設定されているとともに、前記情報端末と前記アクセスポイントとを無線接続させるための無線ＬＡＮ接続環境を更新させるための無線ＬＡＮ接続環境情報をネットワークに送信する送信手段を有し、前記情報端末から所定期間、変更された前記無線ＬＡＮ接続環境を示す無線ＬＡＮ接続環境情報を受信しない場合には、前記送信手段は、更新すべき無線ＬＡＮ接続環境情報を前記情報端末に送信することを特徴とする。
【００１０】
本発明の情報端末は、情報端末と無線ＬＡＮのアクセスポイントと間で設定されているとともに前記情報端末と前記アクセスポイントとを無線接続させるための無線ＬＡＮ接続環境を更新させるための、且つ、サーバから送信された無線ＬＡＮ接続環境情報に基づき、前記アクセスポイントの無線ＬＡＮ接続環境を設定するアクセスポイント設定手段と、前記無線ＬＡＮ接続環境情報に基づき、自身の無線ＬＡＮ接続環境を設定する自身設定手段とを有することを特徴とする。
【００１１】
本発明の第２の無線接続環境設定サーバは、情報端末を無線ＬＡＮの第１のアクセスポイントに無線接続させるための第１の無線ＬＡＮ接続環境を示す第１の情報と、情報端末を無線ＬＡＮの第２のアクセスポイントに無線接続させるための第２の無線ＬＡＮ接続環境を示す第２の情報とを関連付けて記憶する記憶手段と、情報端末にアクセスされると、前記情報端末に、前記第１及び第２の情報を送信することを特徴とする。
【００１２】
本発明のプログラムは、情報端末に、前記情報端末と無線ＬＡＮのアクセスポイントと間で設定されているとともに前記情報端末と前記アクセスポイントとを無線接続させるための無線ＬＡＮ接続環境を更新させるための、且つ、サーバから送信された無線ＬＡＮ接続環境情報に基づき、前記アクセスポイントの無線ＬＡＮ接続環境を設定する第１のステップと、第１のステップの後、前記無線ＬＡＮ接続環境情報に基づき、自身の無線ＬＡＮ接続環境を設定する第２のステップとを実行させることを特徴とする。
【発明の効果】
【００１３】
本発明によれば、ユーザが意識せずとも、無線ＬＡＮのアクセスポイントのＳＳＩＤ、暗号化方式や鍵を更新することができる情報処理システム、さらに、所定の無線ＬＡＮのアクセスポイントに接続する際に、ユーザはより容易に、その無線ＬＡＮのアクセスポイント用の設定を、ＰＣに設定することができる情報処理システムを提供することができる。
【発明を実施するための最良の形態】
【００１４】
以下、図面を参照して本発明を実施するための最良の形態について説明する。図１は、本発明の実施の形態の無線接続環境設定システムを説明するためのブロック図である。
【００１５】
まず、図１を参照してこの接続環境設定システムの概略を説明すると、無線ＬＡＮのアクセスポイントとして機能するルータ２０に無線で接続可能な接続環境設定を有しているパーソナルコンピュータ（ＰＣ）３０を、他の接続環境設定が必要なルータ４０に無線で接続させるものである。以下、本発明の実施の形態の無線接続環境設定システムについて詳細に説明する。図１は、無線接続環境設定システムを説明するためのブロック図である。
【００１６】
図１を参照すると、無線接続環境設定システムは、サーバ１０、ルータ２０、ＰＣ３０、ルータ４０、及び、ＰＣ５０を有する。サーバ１０、ルータ２０、及び、ルータ４０は、インターネットやイントラネット等のネットワークに接続され、ＰＣ３０及びＰＣ５０は、それぞれルータ２０及びルータ４０を介してネットワークに接続される。
【００１７】
なお、ＰＣ３０とルータ２０との間、また、ＰＣ５０とルータ４０との間は、それぞれ無線で接続されている。この無線接続について簡単に説明する。ルータ２０は、他のアクセスポイントと識別するためのService Set Identifier （ＳＳＩＤ）を有し、ルータ２０とＰＣ３０との通信はＷＥＰ、ＴＫＩＰ、ＷＰＡ等のプロトコルの暗号化方式で暗号化されている。もちろん、ＰＣ３０がルータ２０に接続するためには、パスワード等の鍵が必要である。これらはＰＣ５０とルータ４０との無線接続においても同様であるが、暗号化方式や鍵が、ＰＣ３０とルータ２０との無線接続と同じである必要はない。
【００１８】
次に、ＰＣ３０について説明する。図２は、ＰＣ３０の構成を説明するためのブロック図である。図２を参照すると、ＰＣ３０は、ルータ設定手段３１、自身設定手段３２、通信手段３３、接続手段３４、及び、更新手段３５を有している。これらの手段は、ＰＣ３０の記録媒体、例えば、ハードディスク、に格納されているプログラムを、ＰＣ３０のＣＰＵが実行することにより、ＰＣ３０に備えられる。ＰＣ３０は、このようなプログラムをサーバ１０からダウンロードしてもよい。
【００１９】
ルータ設定手段３１は、ルータ２０の設定をする。具体的には、ルータ設定手段３１は、無線接続に必要な情報、例えば、上述したＳＳＩＤ、暗号化方式や鍵（以下、無線接続環境情報と称する。）をルータ２０に設定する。
【００２０】
自身設定手段３２は、ルータ２０に接続するための設定、例えば、ルータ２０のＳＳＩＤ、暗号化方式、及び、鍵を自身（ＰＣ３０）に設定する。ＰＣ３０のＩＰアドレスは、ルータ２０からDynamic Host Configuration Protocol （ＤＨＣＰ）により割り当てられてもよいし、ユーザにより適宜設定されてもよい。
【００２１】
通信手段３３は、サーバ１０にアクセスするための手段である。接続手段３４及び更新手段３５については後述する。なお、ＰＣ５０は、ＰＣ３０と同様の構成を有している。
【００２２】
次に、サーバ１０について説明する。サーバ１０は、ルータ２０とＰＣ３０との無線接続環境情報を管理する。もちろん、ルータ４０とＰＣ５０との無線接続に必要な情報も管理する。図３は、サーバ１０の構成を説明するためのブロック図である。図３を参照すると、サーバ１０は、認証手段１１、登録手段１２、接続情報取得手段１３、及び、更新手段１４を有する。各手段の詳細については後述する。
【００２３】
次に、本実施の形態の動作について図４及び図５を参照して説明する。
【００２４】
まず、本実施の形態の前提として、ルータ２０の管理者、及び、ルータ４０の管理者、もしくはいずれか一方は、サーバ１０の運営者とサーバ１０を用いたサービスの提供を受ける契約をしているものとする。この際、ルータ２０の管理者は、サーバ１０の運営者より、サーバ１０にアクセスするためのＩＤとパスワード等、サーバ１０が管理者を認証するのに必要な情報を得ているものとする。また、ＰＣ３０の通信手段は、このＩＤとパスワードによりサーバ１０にアクセスする。
【００２５】
ここで、ＰＣ３０は、ユーザによる操作によりルータ２０に無線接続されているものとする。また、ＰＣ５０は、ユーザによる操作によりルータ４０に無線接続されているものとする。
【００２６】
図４は、サーバ１０が、無線接続環境情報を管理するための動作を説明するためのフローチャートである。図４を参照すると、ＰＣ３０の通信手段３３は、サーバ１０に、ＩＤとパスワードを送信する。この際、サーバ１０の認証手段１１は、ＩＤとパスワードとがマッチしているかを判断し、マッチしていれば、サーバ１０は、ＰＣ３０をログインさせる（ステップＳ１）。この認証の動作は、ＰＣ３０がサーバ１０にアクセスするとき必要であるが、以下の説明においては、その都度言及しない。
【００２７】
サーバ１０にログインしたＰＣ３０の通信手段３３は、ＰＣ３０とルータ２０との通信で用いられているＳＳＩＤ、暗号化方式、及び、鍵をサーバ１０に送信する（ステップＳ２）。そしてサーバ１０の接続情報取得手段１３は、ステップＳ２にてＰＣ３０から送信されたＳＳＩＤ、暗号化方式、及び、鍵を受信し、登録手段１３は、図示せぬ記録媒体に、認証に用いられたＩＤと関連付けて、ＳＳＩＤ、暗号化方式、及び、鍵を登録する（ステップＳ３）。
【００２８】
なお、ＰＣ５０もサーバ１０に対して、上述のステップＳ１ないしステップＳ３と同様の処理を行う。ここで、ＰＣ５０がサーバ１０に送信するＩＤは、ＰＣ３０がサーバ１０に送信したＩＤと同じでもよいし、異なっていてもよいが、サーバ１０では、同じアカウントとして管理される。つまり、サーバ１０は、ＳＳＩＤ、暗号化方式、及び、鍵の組を関連付けて登録する。この際、サーバ１０は、ルータのＭＡＣアドレスやユーザが任意に名前をつけた無線ＬＡＮネットワーク名もＳＳＩＤ、暗号化方式、及び、鍵と併せて管理してもよい。
【００２９】
ここで、ＰＣ３０の通信手段３３は、定期的に、及び、ユーザによりＳＳＩＤや暗号化方式や鍵に変更された場合に、サーバ１０にアクセスする。この際、サーバ１０の登録手段１２は、既にサーバ１０に登録されているＳＳＩＤ、暗号化方式、鍵等を更新する。
【００３０】
次に、ＰＣ３０の通信手段３３が、サーバ１０にアクセスした際、サーバ１０の登録手段１２が、所定の期間、ＰＣ３０とルータ２０との無線通信で用いられているＳＳＩＤ、暗号化方式、及び、鍵が更新されていないと判断した場合には、更新手段１４は、ＳＳＩＤ、暗号化方式、及び、鍵の少なくとも１つを変更し、ＰＣ３０に送信する（ステップＳ４）。
【００３１】
ＰＣ３０の通信手段３３が、ステップＳ４にてサーバ１０から送信された更新すべきＳＳＩＤ、暗号化方式、及び、鍵を受信すると、ＰＣ３０の更新手段３５は、まず、ルータ設定手段３１に、ルータ２０のＳＳＩＤ、暗号化方式、または、鍵が、受信したＳＳＩＤ、暗号化方式、または、鍵となるよう設定させる（ステップＳ５）。
【００３２】
次に、ＰＣ３０の更新手段３５は、自身設定手段３２に自身、つまり、ＰＣ３０のＳＳＩＤ、暗号化方式、または、鍵が、受信したＳＳＩＤ、暗号化方式、または、鍵となるよう設定させる（ステップＳ６）。こうして、新たな無線接続環境にてＰＣ３０とルータ２０とが接続される。
【００３３】
ステップＳ６の処理に引続き、ＰＣ３０の通信手段３３は、サーバ１０の登録手段１２に無線接続環境情報が更新されたことを通知する（ステップＳ７）。そして、サーバ１０の登録手段１２は、サーバ１０に登録されている無線接続環境情報を更新する（ステップＳ８）。なお、サーバ１０によるステップＳ８の処理は、ステップＳ４に引き続いて行われてもよい。また、ステップＳ７において、ＰＣ３０の通信手段３３は、無線接続環境情報をサーバ１０に送信し、ステップＳ８において、サーバ１０は、受信した無線接続環境情報を登録してもよい。
【００３４】
このようにして、サーバ１０は、ルータ２０とＰＣ３０との無線接続環境情報を得ることができ、さらに、ユーザが意識せずとも適宜、無線接続環境情報は、ＰＣ３０とサーバ１０との処理により更新される。
【００３５】
なお、ステップＳ４ないしステップＳ８の処理は、ＰＣ５０とサーバ１０との間でも行われる。つまり、サーバ１０は、ルータ２０とＰＣ３０との無線接続環境情報、及び、ルータ４０とＰＣ５０との無線接続環境情報とを関連付けて管理することができる。
【００３６】
次に、ＰＣ３０がルータ４０を介してネットワークに接続するための動作について図５を用いて説明する。
【００３７】
図５を参照すると、まずＰＣ３０のユーザは、ＰＣ３０を用いてルータ２０を介してサーバ１０にログインする。そして、ルータ４０のＭＡＣアドレスやユーザが任意に名前をつけた無線ＬＡＮネットワーク名をＰＣ３０からユーザが指定することにより、ＰＣ３０の接続手段３４は、ルータ４０に接続するための無線接続環境情報を取得する（ステップＴ１）。
【００３８】
次に、ＰＣ３０が、ルータ４０に無線接続可能な範囲に入った場合、ＰＣ３０の接続手段３４は、まず、ＰＣ３０とルータ２０との無線通信で用いられている無線接続環境情報、すなわち、直前にネットワークに接続できた無線接続環境情報、を用いて、いずれかのネットワークに接続しようとするが、ルータ２０に無線接続可能な範囲の圏外である場合に、ＰＣ３０の接続手段３４は、取得した無線接続環境情報でルータ４０にアクセスする（ステップＴ２）。この際、当然、ＰＣ３０の自身設定手段３２は、ルータ４０にアクセスするために、ＰＣ３０の無線接続環境情報をルータ４０にアクセス可能に設定されている。
【００３９】
なお、ルータ４０にアクセスするための無線接続環境情報は、上述したステップＳ１ないしステップＳ８の処理において、ＰＣ３０がサーバ１０にアクセスする都度、予めサーバ１０から受信しておいてもよい。
【００４０】
また、ＰＣ３０及びＰＣ５０以外のＰＣをルータ２０やルータ４０に接続する際、ユーザは、前述したＩＤとパスワードによりサーバ１０にログインし、ルータに対応した無線接続環境情報を取得し、ＰＣに設定することができる。なお、この設定は取得した無線接続環境情報によりＰＣが自身に自動的に設定してもよい。この場合、ＰＣがサーバに接続するためのネットワークやアクセスポイントは特定のネットワークに限定されない。
【００４１】
以上説明したように、本実施の形態によれば、前述のとおり、サーバ１０は、ルータ２０とＰＣ３０との無線接続環境情報を得ることができ、さらに、本実施の形態によれば、ユーザが意識せずとも適宜、無線接続環境情報は、ＰＣ３０とサーバ１０との処理により更新される。さらに、本実施の形態によれば、ＰＣ３０が、定期または不定期に更新される複数の無線接続環境を使用する際、ユーザが、更新された無線接続環境の設定を手動によりＰＣ３０に設定することなしで、ＰＣ３０は、異なる無線接続環境に接続することができる。また、本実施の形態によれば、無線接続環境情報は、サーバ１０の主導の元、定期的に更新されるので、ネットワークのセキュリティを向上させることができる。
【図面の簡単な説明】
【００４２】
【図１】無線接続環境設定システムを説明するためのブロック図である。
【図２】ＰＣ３０の構成を説明するためのブロック図である。
【図３】サーバ１０の構成を説明するためのブロック図である。
【図４】サーバ１０が、無線接続環境情報を管理するための動作を説明するためのフローチャートである。
【図５】ＰＣ３０がルータ４０を介してネットワークに接続するための動作を説明するためのフローチャートである。
【符号の説明】
【００４３】
１０  サーバ
１１  認証手段
１２  登録手段
１３  接続情報取得手段
１４  更新手段
２０  ルータ
３０  ＰＣ
３１  ルータ設定手段
３２  自身設定手段
３３  通信手段
３４  接続手段
３５  更新手段
４０  ルータ
５０  ＰＣ
【図１】
2008244945.tif 000003
【図２】
2008244945.tif 000004
【図３】
2008244945.tif 000005
【図４】
2008244945.tif 000006
【図５】
2008244945.tif 000007